(57)【要約】      （修正有）【課題】単純且つ改良した様式で時計ケースの外観を変更可能にする時計ケースを提供する。【解決手段】時計ケースは、時計ガラス１を保持する上部部分１１と、ケース裏蓋４０と、上部部分１１とケース裏蓋４０との間に配置した周囲ケース壁１２を有するケース中間部１０とを備える。時計ケースは、ケース壁１２の周りに延在し、ケース壁１２に対して回転可能に配置した少なくとも１つのリング２０を更に備える。少なくとも１つのリング２０は、手動回転のために外側からアクセス可能であるように配置される。【選択図】図１
2014228544.tif 000002
【特許請求の範囲】
【請求項１】
上部部分（１１）と、ケース裏蓋（４０、４０’’）と、前記上部部分と前記ケース裏蓋との間に配置した周囲ケース壁（１２、１２’、１２’’）を有するケース中間部（１０、１０’、１０’’）と、前記ケース壁（１２、１２’、１２’’）に対して回転可能に配置した少なくとも１つのリング（２０、２０’、２０’’、２５、２６）であって、前記ケース壁（１２、１２’、１２’’）の周りに延在する内側側部（２１、２１’）を備えるリングとを備える時計ケースであって、前記上部部分（１１）は、時計ガラス（１）を保持するように働くこと、及び、前記少なくとも１つのリング（２０、２０’、２０’’、２５、２６）は、手動回転可能であるように前記内側側部（２１、２１’）の反対側に外側側部（１２ａ、１２ａ’、１２ａ’’）を備えることを特徴とする、時計ケース。
【請求項２】
前記ケース中間部（１０、１０’、１０’’）は、前記リング（２０、２０’）の一部分（２２ｂ、２２ｂ’）を受け入れるための周囲溝（１３、１３’）を含む、請求項１に記載の時計ケース。
【請求項３】
前記溝（１３、１３’）は、前記上部部分（１１）の下側に形成される、請求項２に記載の時計ケース。
【請求項４】
前記ケース裏蓋（４０）は、前記リング（２０、２０’）を保持及び／又は案内する隆起縁部（４１）を備える、請求項１から３までのいずれか一項に記載の時計ケース。
【請求項５】
前記少なくとも１つのリング（２０、２０’、２０’’、２５、２６）は、段付き上端部（２０ａ、２２ｂ、２２ｂ’、２５ａ、２６ａ）と、段付き底端部（２０ｂ、２２ｃ、２２ｃ’、２５ｂ、２６ｂ）とを備える、請求項１から４までのいずれか一項に記載の時計ケース。
【請求項６】
前記リング（２０）と前記ケース壁（１２）との間に配置したばね要素（３０）を更に備える、請求項１から５までのいずれか一項に記載の時計ケース。
【請求項７】
前記ばね要素（３０）は、起伏形状及び／又は間隙（３１）を有する、請求項６に記載の時計ケース。
【請求項８】
前記リング（２０’）を回転可能に組み付ける転がり軸受（３０’）を更に備え、前記転がり軸受は、好ましくは玉軸受（３０’）である、請求項１から７までのいずれか一項に記載の時計ケース。
【請求項９】
前記リング（２０’）は、前記転がり軸受の転動体（３０’）を少なくとも部分的に受け入れる空隙（２３）を備える、請求項８に記載の時計ケース。
【請求項１０】
時計バンドに締結される取付け部分（１５）を更に備え、前記取付け部分（１５）は、前記リング（２０、２０’、２０’’、２５、２６）を越えて少なくとも部分的に側方に突出する、請求項１から９までのいずれか一項に記載の時計ケース。
【請求項１１】
前記リング（２０、２０’、２０’’、２５、２６）は、情報の表示器として働き、且つ／或いは１つ若しくは複数の飾り要素及び／又は宝飾品要素を備える、請求項１から１０までのいずれか一項に記載の時計ケース。
【請求項１２】
前記ケース裏蓋（４０、４０’’）は、好ましくはねじ（５０）によって前記ケース壁（１２、１２’、１２’’）に着脱可能に接続される、請求項１から１１までのいずれか一項に記載の時計ケース。
【請求項１３】
前記上部部分（１１）は、前記ケース壁（１２、１２’、１２’’）に、固く、好ましくは一体に接続される、請求項１から１２までのいずれか一項に記載の時計ケース。
【請求項１４】
前記ケース裏蓋（４０、４０’’）は、ぜんまい式ムーブメントを調節する作動手段（４３）を受け入れるように構成される、請求項１から１３までのいずれか一項に記載の時計ケース。
【請求項１５】
前記ケース裏蓋（４０、４０’’）は、前記作動手段（４３）を受け入れる貫通孔を備える、請求項１４に記載の時計ケース。
【請求項１６】
前記ケース壁（１２’’）の前記外側側部（１２ａ’’）の周りに延在し、前記回転軸（１７）の周りに回転可能な少なくとも２つのリング（２０’’、２５、２６）を備え、好ましくは前記リング（２０’’、２５、２６）は、互いにずらして前記回転軸（１７）に配置される、請求項１から１５までのいずれか一項に記載の時計ケース。
【請求項１７】
請求項１から１６までのいずれか一項に記載の時計ケースを備える時計。
【発明の詳細な説明】
【技術分野】
【０００１】
本発明は、請求項１のプリアンブルによって定義される時計ケースに関する。
【背景技術】
【０００２】
様々な時計ケースが知られており、例えば欧州特許出願公開第１７３０６０７Ａ１号を参照されたい。時計ケースの外観を変更するには、要素を追加する、又は取り外すことになり、このことは比較的複雑である。
【０００３】
特許ＣＨ６７０１８６ＧＡ３は、請求項１に記載のプリアンブルによる時計ケースを備える時計を開示している。時計は、リングを含み、このリングは、時計ケース内部でケース中間部と中央部品との間に回転可能に配置される。リングは、外側からアクセス可能ではないため、特定位置へのリングの回転は、ユーザには可能ではない。
【先行技術文献】
【特許文献】
【０００４】
【特許文献１】欧州特許出願公開第１７３０６０７Ａ１号
【特許文献２】ＣＨ６７０１８６ＧＡ３
【発明の概要】
【発明が解決しようとする課題】
【０００５】
本発明の目的は、単純且つ改良した様式で時計ケースの外観を変更可能にする時計ケースを提供することである。
【課題を解決するための手段】
【０００６】
この目的は、請求項１に記載の時計ケースにより達成される。更なる請求項は、時計ケース、及び時計ケースを備える時計の好ましい実施例を特定する。
【発明の効果】
【０００７】
請求項１によれば、ケース中間部は、少なくとも１つのリングが手動回転のために外側からアクセス可能であるように、ケース壁と、ケース壁の周りに延在する内側側部及び内側側部とは反対の外側側部を有する少なくとも１つの回転可能リングとを備える。そのような回転可能リングの提供により、リングを単に回転させることで外観が変更可能になる。
【０００８】
例示的実施例によって、図面を参照しながら本発明を以下で説明する。
【図面の簡単な説明】
【０００９】
【図１】本発明による時計ケースの第１の実施例の分解図である。
【図２】図１による時計ケースのケース中間部の一部分の断面側面図である。
【図３】図１の時計ケースに使用するリングの一部分の断面側面図である。
【図４】図１の時計ケースに使用するケース裏蓋の一部分の断面側面図である。
【図５】図１の時計ケースに使用するばね要素の上面図である。
【図６】ケース裏蓋を伴わない、組立状態の図１の構成要素の底面図である。
【図７】図６の線ＶＩＩ−ＶＩＩに沿った、図１の組み立てた時計ケースの部分断面図である。
【図８】図７の左側部分の拡大図である。
【図９】本発明による時計ケースの第２の実施例の分解図である。
【図１０】図９による時計ケースのケース中間部の一部分の断面側面図である。
【図１１】図９の時計ケースに使用するリングの一部分の断面側面図である。
【図１２】ケース裏蓋を伴わない、組立状態の図９の構成要素の底面図である。
【図１３】図１２の線ＸＩＩＩ−ＸＩＩＩに沿った、図９の組み立てた時計ケースの部分断面図である。
【図１４】図１３の左側部分の拡大図である。
【図１５】本発明による時計ケースの第３の実施例を含む時計の分解図である。
【図１６】図１５による、組立状態の時計の上面図である。
【図１７】図１６の線ＸＶＩＩ−ＸＶＩＩに沿った、図１６の組み立てた時計の断面図である。
【図１８】図１７の右側部分の拡大図である。
【発明を実施するための形態】
【００１０】
「第１の例示的実施例」
図１は、典型的には腕時計の一部分である時計ケースの第１の実施例の分解図を示す。時計ケースは、時計ガラスの形態のケース・カバー１と、回転可能リング２０及びばね要素３０を有するケース中間部１０と、ケース裏蓋４０とを備える。部品１、１０、４０は、ぜんまい式ムーブメント及び時間指示手段（これらは両方とも図示せず）を中に配置するケースを形成する。本実施例では、ぜんまい式ムーブメントをケース中間部１０に固定することができる。
【００１１】
図２からもわかるように、時計ケースは、ケース中間部１０を備え、ケース中間部１０は、周囲ケース壁１２及び上部部分１１を有し、上部部分１１は、時計ガラス１を保持するためのガラス縁を形成する。上部部分１１は、時計ガラス１を囲むように形成される。本実施例では、ケース壁１２及び上部部分１１は、一体に形成される。ケース壁１２及び上部部分１１は、組み立て可能な２つ以上の個別部品で作製することも考えられる。
【００１２】
リング２０は、ケース壁１２及び上部部分１１に対して回転可能である。
【００１３】
ケース中間部１０は、実質的に円筒形である周囲外側面１２ａ、及び上部部分１１の底面に形成した周囲溝１３を有する。溝１３は、リング２０を保持し、案内するように働く。ケース中間部１０の内側面１２ｂは、時計ガラス１の座１２ｂを形成するように段付き設計を上部に有する。
【００１４】
ケース壁１２は、それぞれがケース壁１２の底端部からその内部に延在するいくつかの穴１４を備える。各穴１４は、ケース裏蓋４０をケース中間部１０に着脱可能に取り付ける固定ねじ５０の端部を受け入れる働きをする。この目的で、穴１４は、雌ねじ部を備えることができる。
【００１５】
図６からもわかるように、ケース中間部１０は、実質的に互いに対向して配置された２つの取付け部分１５を備える。各取付け部分１５は、上部部分１１に接続され、ケース壁１２を越えて側方に突出しており、その結果、各取付け部分１５は、リング２０を取付け部分１５と外側面１２ａとの間に配置するために、外側面１２ａから離間される。それによって、取付け部分１５は、リング２０を越えて少なくとも部分的に延在する。取付け部分１５は、時計バンド（図示せず）の端部を取り付ける手段を備える。本実施例では、各取付け部分１５は、時計バンドの端部を固定できるロッド等を受け入れる貫通孔１６を有する。
【００１６】
図３からもわかるように、リング２０は、実質的に円筒形である内側面２１、及び、段付き上端部２２ｂと段付き底端部２２ｃとの間に配置された中間部分２２ａを有する外側面を有する。中間部分２２ａは、本明細書で図示する形態とは異なる形態を有することができ、１つ又は複数の飾り要素及び／又は宝飾品要素を備えていてもよい。リング２０は、例えば情報をリング２０の外縁上に表示できるといった機能的な目的を有することもできる。リング２０は、様々な材料、例えば金属、プラスチック材料等から作製することができる。
【００１７】
図４に示すように、ケース裏蓋４０は、リング２０を保持及び案内する壁を形成する隆起縁部４１を有する。ケース裏蓋４０は、固定ねじ５０の端部を中に通してケース裏蓋４０をケース中間部１０に取り付けることができるいくつかの貫通孔４２を含む。貫通孔４２は、固定ねじ５０の頭部を皿穴に埋める段付き設計を有する。
【００１８】
更に、ケース裏蓋４０は、例えばぜんまい式ムーブメントを調節するプッシュピースである作動手段４３を受け入れるように構成される。この目的で、ケース裏蓋４０は、作動手段４３を受け入れる貫通孔を備える。貫通孔は、作動手段４３の頭部が皿穴に埋まるように構成される。
【００１９】
ばね要素３０は、本質的にベント・ストリップとして構築され、起伏形状を有する。図５からもわかるように、ばね要素３０は、その２つの端部が互いに離間されるような間隙３１を有する。ばね要素３０は、所望の弾性を与えるのに適切な材料（例えば金属）で作られる。
【００２０】
図６〜図８は、組立状態の時計ケースを示す。時計ガラス１は、ケース中間部１０の段１２ｂ上に位置決めされる。円形接合部６０は、ケースの封止を実現するように上部部分１１と時計ガラス１との間に配置される。ケース裏蓋４０は、ねじ５０によりケース中間部１０に取り付けられる。
【００２１】
リング２０は、ケース中間部１０と同軸に配置される。リング２０の段付き上端部２２ｂは、溝１３に係合し、リング２０の段付き底端部２２ｃは、隆起縁部４１とケース壁１２によって構築された溝に係合する。
【００２２】
ばね要素３０は、リング２０とケース中間部１０との間の空間に配置される。ばね要素３０は、その起伏形状によりリング２０の内側面２１及びケース中間部１０の外側面１２ａと交互に接触する（図６を参照）。
【００２３】
リング２０は、ケース壁１２が周りに延在する軸１７を中心としてケース中間部１０に対して自由に回転させることができる。軸１７は、時計ガラス１及びケース裏蓋４０に対し直角に配置される。この回転は、時計回り、反時計回りの両方向であってもよく、３６０度を超えてもよい。ばね要素３０は、回転遊びが減少するようにリング２０上に力を加える。
【００２４】
「第２の例示的実施例」
図９は、腕時計用時計ケースの第２の実施例の分解図を示す。第１の実施例と同じである要素は、同じ参照符号で示す。主な相違は、リング２０’の回転可能構成である。本実施例では、玉軸受を使用して、リング２０’の軸１７周りの自由回転を可能にする。
【００２５】
ケース中間部１０は、上部部分１１と、ケース壁１２’とを備える。図１０で最もよくわかるように、上部部分１１の下側に形成した溝１３’は、ケース壁１２’の外側面１２ａ’の上部に構築した周囲凹部１２ｃを含む。凹部１２ｃは、実質的に円形である断面を有し、ボール３０’の一部分を受け入れる働きをする。
【００２６】
図９及び図１１からわかるように、リング２０’は、実質的に円筒形表面セクションを有する内側面２１’を有し、この内側面２１’において、上端部２２ｂ’上に空隙２３が形成される。空隙２３は、リング２０’に沿って分散され、空隙２３の間の距離は、変化しても、同じであってもよい。各空隙２３は、ボール３０’の一部分を受け入れるために実質的に球形である底面２３ａを備えるように形成される。
【００２７】
図１２から図１４に示す組立状態では、ボール３０’は空隙２３に置かれる。リング２０’が回転すると、ボール３０’は凹部１２ｃに沿って転がる。リング２０’の内側面２１’とケース壁１２’の外側面１２ａ’との間の空間は、第１の実施例より小さくてもよく、外側面１２ａ’及び内側面２１’が少なくとも部分的に互いに接触する空間とすることができる。
【００２８】
第１の実施例の場合のように、リング２０’の回転は、時計回り、反時計回りの両方向であってもよい。
【００２９】
「第３の例示的実施例」
図１５は、第３の実施例の時計ケースを備える時計の分解図を示す。第１の実施例と同じである要素は、同じ参照符号で示す。主な相違は、２つ以上の回転可能リング２０’’、２５、２６を提供したことである。
【００３０】
時計ケースは、上部部分１１によって保持する時計ガラス１と、リング２０’’、２５、２６を有するケース中間部１０’’と、ケース裏蓋４０’’とを備える。部品１、１０’’、４０’’は、ぜんまい式ムーブメント６１及び時間指示手段６２を中に配置するケースを形成する。時間指示手段６２は、例えば針６３を有する文字板６２である。環状要素６４は、文字板６２及びぜんまい式ムーブメント６１を保持し、それらをねじ、留め具及び／又は他の取付け手段６５によってケース中間部１０’’に固定するために使用される。
【００３１】
図１５は、ケース中間部１０’’とケース裏蓋４０’’との間の接続部を封止する円形接合部６０’、及び時計バンドを時計ケースに取り付けるように取付け部分１５に形成した孔１６内にねじ止めできる固定ねじ６６も示す（図１６も参照）。
【００３２】
図１７及び図１８からもわかるように、上部部分１１及びケース壁１２’’を有するケース中間部は、時計ガラス１及び要素６１〜６５を保持するために適切に設計した内側側部を有する。
【００３３】
ケース壁１２’’の外側面１２ａ’’は、実質的にＬ字形断面を有する。ケース裏蓋４０’’は、ケース裏蓋４０’’が上部部分１１ａと共に溝を形成するようにケース壁１２’’の下側端部を越えて側方に延在し、この溝に、リング２０’’、２５、２６、及びリング２０’’、２５、２６を回転可能に配置する軸受手段３０’’が受け入れられる。本明細書で示した実施例では、リング２０’’、２５、２６の内側側部とケース壁１２’’の外側面１２ａ’’の間に配置した摩擦要素３０’’が、軸受手段として使用される。
【００３４】
各摩擦要素３０’’は、リングとして形成され、例えば実質的に矩形の断面を有する。
【００３５】
各リング２０’’、２５、２６の内側面は、上側側部及び下側側部に沿った段付き設計を有する（図１８のリング２０’’の段２０ａ、２０ｂ、リング２５の段２５ａ、２５ｂ、及びリング２６の段２６ａ、２６ｂを参照）。リング２０’’、２５、２６は、これらの段２０ａ、２０ｂ、２５ａ、２５ｂ、２６ａ、２６ｂを介して摩擦要素３０’’上に置かれる。
【００３６】
本明細書に示した実施例では、２つのリング２５及び２６は、中間リング２０’’に隣接して配置される。リング２０’’、２５、２６は、回転軸１７の周りを互いに独立して時計回り、反時計回りの両方向に回転させることができる。
【００３７】
本明細書で示した各実施例では、ケース壁（１２、１２’、１２’’）は、内部に面し、ぜんまい式ムーブメント（６１）を囲む内側側部と、内側側部の反対側にあり、外部に面する外側側部（１２ａ、１２ａ’、１２ａ’’）とを含む。リング（２０、２０’、２０’’、２５、２６）は、ケース壁（１２、１２’、１２’’）の外側側部（１２ａ、１２ａ’、１２ａ’’）の周りに回転可能に配置した内側側面部（２１ａ）と、内側側面部（２１ａ）の反対側の外側側面部（２２ａ）とを備える。リング（２０、２０’、２０’’、２５、２６）の外側側面部（２１ａ）は、外側から見ることができ、ユーザが手動回転のためにアクセスできる。
【００３８】
上記説明から、特許請求の範囲で定義される本発明の範囲から逸脱することなく、多くの修正形態が当業者に利用可能である。
【００３９】
第１の実施例のばね要素は、異なる形態を有していてもよく、例えば、湾曲ワイヤから形成してもよい。第２の実施例では、他の軸受体、例えばころをリングの軸受として使用することができる。軸受及びばね要素を適用することによって両方の実施例を組み合わせること、又はリングをケース中間部上に回転可能に配置するための他の若しくは追加の手段を使用することも考えられる。
【００４０】
更に、リングを保持する特定の角度位置を画定する回り止め機構を提供することが考えられる。リングを別の角度位置内に移動させるためには、一定の閾値を超える力を加えることになる。
【００４１】
第３の実施例では、時計ケースは、３つの回転可能リングを備える。時計ケースの設計に応じて、回転可能リングの数は、１つでも、２つ以上であってもよい。各リングは、軸受手段を使用することによって回転可能に配置することができ、この軸受手段は、例えば、ばね要素（３０）、転がり軸受（３０’）、摩擦要素（３０’’）及び他の要素のうち少なくとも１つを備える。
【００４２】
第３の実施例に関して示した飾り要素及び／又は宝飾品要素は、説明の目的であって、省いても、別様に設計してもよい。
【符号の説明】
【００４３】
１  時計ガラス
１０  ケース中間部
１１  上部部分
１２  周囲ケース壁
１２ａ  外側側部
１３  周囲溝
１５  取付け部分
１７  軸、回転軸
２０  リング
２１  内側面、内側側部
２１ａ  内側側面部
２２ａ  中間部分、外側側面部
３０  ばね要素
４０  ケース裏蓋
４１  隆起縁部
【図１】
2014228544.tif 000003
【図２】
2014228544.tif 000004
【図３】
2014228544.tif 000005
【図４】
2014228544.tif 000006
【図５】
2014228544.tif 000007
【図６】
2014228544.tif 000008
【図７】
2014228544.tif 000009
【図８】
2014228544.tif 000010
【図９】
2014228544.tif 000011
【図１０】
2014228544.tif 000012
【図１１】
2014228544.tif 000013
【図１２】
2014228544.tif 000014
【図１３】
2014228544.tif 000015
【図１４】
2014228544.tif 000016
【図１５】
2014228544.tif 000017
【図１６】
2014228544.tif 000018
【図１７】
2014228544.tif 000019
【図１８】
2014228544.tif 000020
【外国語明細書】
2014228544000001.pdf